(57)【特許請求の範囲】
【請求項１】
放送波を受信するチューナ部から出力されたビットストリームを処理し、記録部に記録する記録再生装置であって、
前記チューナ部から出力されたビットストリームに含まれる番組情報と、当該番組情報に係るヘッダ情報とを分離する分離手段と、
前記分離手段で分離されたヘッダ情報から前記分離手段で分離された番組情報に付加する新たなヘッダ情報を生成する制御を実行する制御手段と、を有し、
前記ビットストリームに主番組情報及び主番組情報に係る主番組ヘッダ情報と、副番組情報及び副番組情報に係る副番組ヘッダ情報とが時分割多重されている場合、前記制御手段は前記分離手段で分離された前記主番組ヘッダ情報及び前記副番組ヘッダ情報に基づいて、前記ビットストリームを前記主番組情報のビットストリームと前記副番組情報のビットストリームとに分割するとともに、前記主番組情報のビットストリームには前記主番組ヘッダ情報及び少なくとも１つの前記副番組ヘッダ情報を付加することを特徴とする記録再生装置。
【請求項２】
前記記録部に記録されたビットストリームを読み出して再生する再生手段を更に有し、
前記制御手段は、前記再生手段が読み出して再生している主番組情報のビットストリームに付加された前記副番組ヘッダ情報を取得し、前記主番組情報と並行して前記副番組情報を再生するための制御を実行することを特徴とする請求項１に記載の記録再生装置。
【発明の詳細な説明】
【０００１】
【発明の属する技術分野】
本発明は、テレビ番組を見ながら他のテレビ番組を記録し、任意の時間遅れて再生する遅延再生装置に用いて好適な記録再生装置に関するものである。
【０００２】
【従来の技術】
近年、次世代のテレビ放送方式として、デジタルテレビ放送方式が注目されている。放送方式がデジタル化することにより、テレビ受信機にはいろいろな機能を搭載しやすくなってきた。その中でもハードディスク等の高速かつ大容量で、しかもランダムアクセスの速度が速く、読み出しと書き込みが同時にできる記憶装置を内蔵し、この記憶装置を遅延装置として利用する遅延再生装置の開発が行われている。
【０００３】
この遅延再生装置は、現在放送されている番組を記録しながら、任意の時間に遅れて見ることができるようにしたものである。例えば、現在見ているスポーツ中継が延長された場合、そのスポーツ中継はそのまま見ることにし、他のチャンネルで同時に放送されているドラマを遅延再生装置で記録し、スポーツ中継の終了後、記録したドラマを始めから再生することができる。即ち、現在放送されている番組を、放送開始から任意の時間遅れて見ることができる。
【０００４】
また、この遅延再生装置で記録した番組は、スロー再生やサーチ再生等の特殊再生を行うこともでき、恰も現在放送されている番組を特殊再生したように表示することができる。
【０００５】
図５は従来の遅延再生装置の構成を示すブロック図である。
図５において、入力端子３０１より受信したデジタル放送信号は、制御部３１７の制御によりチューナ部３０３において、現在見たい第１の番組信号と記録したい第２の番組信号とが選局される。第１の番組信号は切り換えスイッチ３０７の端子ａに出力され、第２の番組信号は記録再生部３０５に出力される。
【０００６】
尚、チューナ部３０３から出力されるデジタル化された番組信号のビットストリームフォーマットとして、ＩＴＵ−Ｔにより規格化されたＨ−２２２等が知られており、また、画像信号や音声信号としては、ＭＰＥＧ２方式等で圧縮された信号が用いられる。
【０００７】
記録再生部３０５においては、入力された第２の番組信号を記録しながら、制御部３１７の制御により任意の時間遅れて再生を開始し、その再生信号を上記スイッチ３０７に出力する。
スイッチ３０７は、表示したい番組が遅延再生された第２の番組信号であるならば、端子ａに接続し、表示したい番組が現在放送されている第１の番組信号であるならば、端子ｂに接続する。
【０００８】
スイッチ３０７の出力は復号部３０９に送られる。復号部３０９は、圧縮された画像信号や音声信号を復元する。復元された画像信号はＯｎ  Ｓｃｒｅｅｎ  Ｄｉｓｐｌａｙ（以後、ＯＳＤと言う）部３１１に送られる。ＯＳＤ部３１１は、制御部３１７の制御により、表示している番組番号（チャンネル番号）や記録している番組番号や音声のボリューム状態等を、上記復元した画像信号と合成した後、表示装置３１５へ出力する。
【０００９】
表示装置３１５は、ＣＲＴ、液晶ディスプレイあるいはＰＤＰと呼ばれる薄型のものが用いられ、上記合成された画像信号を表示する。また上記復元された音声スピーカ３１３に加えられる。
【００１０】
【発明が解決しようとする課題】
しかしながら、１つの放送番組信号の中には、主番組と、コマーシャル、天気予報、ニュース、選挙速報等を含む副番組とが時分割多重されており、上記従来の遅延再生装置では、主番組を連続再生した場合、この主番組と同時に副番組を再生して表示することができないという問題があった。
【００１１】
本発明は上記の問題を解決するためになされたもので、主番組と副番組とを同時に再生表示できるようにすることを目的としている。
【００１２】
【課題を解決するための手段】
本発明の記録再生装置は、放送波を受信するチューナ部から出力されたビットストリームを処理し、記録部に記録する記録再生装置であって、前記チューナ部から出力されたビットストリームに含まれる番組情報と、当該番組情報に係るヘッダ情報とを分離する分離手段と、前記分離手段で分離されたヘッダ情報から前記分離手段で分離された番組情報に付加する新たなヘッダ情報を生成する制御を実行する制御手段と、を有し、前記ビットストリームに主番組情報及び主番組情報に係る主番組ヘッダ情報と、副番組情報及び副番組情報に係る副番組ヘッダ情報とが時分割多重されている場合、前記制御手段は前記分離手段で分離された前記主番組ヘッダ情報及び前記副番組ヘッダ情報に基づいて、前記ビットストリームを前記主番組情報のビットストリームと前記副番組情報のビットストリームとに分割するとともに、前記主番組情報のビットストリームには前記主番組ヘッダ情報及び少なくとも１つの前記副番組ヘッダ情報を付加することを特徴とする。
【００１６】
【発明の実施の形態】
以下、本発明の実施の形態を図面と共に説明する。
図１において、入力端子１０１より受信したデジタル放送信号は、制御部３１７の制御によりチューナ部１０３において、現在見たい第１の番組信号と記録したい第２の番組信号とが選局される。第２の番組信号は遅延部１２１に出力されると共に、ヘッダ分離部１２７に出力される。
【００１７】
図２（ａ）はチューナ部１０３から出力される第２の番組信号のビットストリームのデータ構成を示すもので、図示のように、主番組ヘッダ、主番組、副番組ヘッダ、副番組が時分割で多重されている。
【００１８】
上記ヘッダ分離部１２７は、上記主番組ヘッダと副番組ヘッダとを分離して制御部１１９へ送る。また上記遅延部１２１は、上記ヘッダが分離できるまで第２の番組信号を遅延させて切り換えスイッチ１２３へ送る。また制御部１１９は、上記分離された主番組ヘッダと副番組ヘッダとに応じて上記スイッチ１２３を切り換えると共に、第１、第２の新しいヘッダを作成する。第１のヘッダは、主番組ヘッダと副番組ヘッダを含み、第２のヘッダは副番組ヘッダのみからなるものである。
上記第１のヘッダはヘッダ付加部１２５に送られ、上記第２のヘッダはヘッダ付加部１２６に送られる。
【００１９】
スイッチ１２３は、上記分離された主番組又は副番組ヘッダに応じて切り換えられ、端子ａからは第２の番組信号の主番組情報のみが選択され、上記第１のヘッダが付加された後、記録再生部１０５で記録される。また、端子ｂからは第２の番組信号の副番組情報のみが選択され、上記第２のヘッダが付加された後、記録再生部１０６で記録される。
尚、ヘッダ付加部１２５、１２６は、第２の番組信号から主番組情報又は副番組情報が抜き取られたために生じる信号の不連続性をなくし、各番組情報を連続した状態に保つために時間情報を付け替えるものである。
【００２０】
次に、記録再生部１０５は、制御部１１７の制御に基づいて上記主番組情報を再生し、その再生信号を切り換えスイッチ１０７の端子ａに出力すると共に、ヘッダ分離部１２９に送る。また記録再生部１０６は、制御部１１７の制御に基づいて上記副番組情報を再生し、その再生信号を切り換えスイッチ１０８の端子ａに出力する。
尚、記録再生部１０５、１０６は一体になっていてもよく、記録媒体の記録領域が別になっていればよい。また記録媒体としては、書き込みと読み出しを同時に行えるものが用いられる。
【００２１】
次に制御部１１７は、上記ヘッダ分離部１２９で分離した上記第１のヘッダに含まれる主番組ヘッダと副番組ヘッダに基づいて記録再生部１０５、１０６を制御し、主番組情報に同期をとりながら副番組情報を読み出す。あるいは主番組のみ又は副番組のみを表示したい場合は、主番組情報又は副番組情報のみを連続して読み出す。
【００２２】
上記スイッチ１０７、１０８は、制御部１１７の制御により切り換えられ、現在放送されている第１の番組信号を表示したいときは、端子ｂに接続され、遅延再生された第２の番組信号を表示したいときは、端子ａに接続される。スイッチ１０７、１０８の出力は復号部１０９、１１０で復号される。
【００２３】
第２の番組信号を表示する場合は、復号部１０９、１１０でそれぞれ復号された主番組情報と副番組情報の各画像信号は、ピクチャインピクチャ部１１１で合成されて表示装置１１５で表示される。これと共に主番組情報と副番組情報の各音声信号は、スイッチ１１２の端子ａ、ｂに出力され、制御部１１７により切り換えられてスピーカ１１３に送られる。
【００２４】
図２（ｂ）は、記録再生部１０５で記録した主番組の記録状態を示す。この場合は、主番組情報と、主番組ヘッダと副番組ヘッダを含む第１のヘッダとが記録される。図２（ｃ）は、記録再生部１０６に記録した副番組の記録状態を示す。この場合は、副番組情報と、副番組ヘッダを含む第２のヘッダとが記録される。このように記録しておくことにより、主番組を連続再生した場合、副番組ヘッダを読み出したときに、記録再生部１０６から副番組情報を同時に読み出すことができ、主番組に同期して副番組を同時表示することができる。また、主番組に又は副番組のみを連続再生して見ることもできる。
【００２５】
図３は、副番組が主番組に同期して同時に表示されたときの時間関係を示したものである。主番組に挿入されていた時点から副番組が同時表示されている。
【００２６】
図４は、表示装置１１５で主番組と副番組を同時表示したときの表示状態を示すもので、アスペクト比１６：９の表示画面に４：３の主番組を表示し、その余白領域に副番組を表示した場合を示す。
【００２７】
一方、現在放送されている第１の番組信号を表示したい場合は、チューナ部１０３からの第１の番組信号がスイッチ１０７、１０８の端子ｂを介して復号部１０９、１１０へ送られ、ここで主番組情報と副番組情報の各画像信号と各音声信号が復号された後、各画像信号はピクチャインピクチャ部１１１で合成されて表示装置１１５で表示され、各音声信号はスイッチ１１２の端子ａ又はｂを介してスピーカ１１３に送られる。
【００２８】
なお、図１の各機能ブロックによるシステムは、ハード的に構成してもよく、あるいはＣＰＵやメモリ等から成るコンピュータシステムに構成してもよい。コンピュータシステムに構成する場合、上記メモリは本発明による記憶媒体を構成する。この記憶媒体には、前述した動作を制御する処理手順を実行するためのプログラムが記憶される。また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピィディスク、磁気テープ、磁気カード、不揮発性メモリカード等に構成して用いてよい。
【００２９】
【発明の効果】
本発明によれば、１つのビットストリームに多重化されている主番組情報と副番組情報との両者を別々に再生することができるとともに、主番組に同期して副番組情報を同時再生することが可能となる。
【図面の簡単な説明】
【図１】本発明の実施の形態による記録再生装置のブロック図である。
【図２】本発明の実施の形態によるビットストリームの構成図である。
【図３】主番組情報と副番組情報の表示のタイミングを示す構成図である。
【図４】表示状態の一例を示す構成図である。
【図５】従来の遅延再生措置のブロック図である。
【符号の説明】
１０３  チューナ
１０５、１０６  記録再生部
１０７、１０８、１１２、１２３  切り換えスイッチ
１１１  ピクチャインピクチャ部
１１３  スピーカ
１１５  表示装置
１１７、１１９  制御部
１２５、１２６  ヘッダ付加部
【図１】
0003825920.tif 000002
【図２】
0003825920.tif 000003
【図３】
0003825920.tif 000004
【図４】
0003825920.tif 000005
【図５】
0003825920.tif 000006